(57)【要約】【課題】  現場施工性に優れ、重複部材の削減が図れ、現場での作業の安全性が高く、かつ建物毎に要求される種々の庇長さへの対応も容易なパラペット型庇の骨組み構造を提供する。【解決手段】  鉄骨造の建物本体１の外壁面１ａから箱形に突出するパラペット型庇２の骨組み構造である。パラペット型庇２の両端部がそれぞれ庇ユニット３，４からなり、中間に庇パネル５を配置する。庇ユニット３，４は、パラペット型庇２の正面および各片方の側面の骨組みをそれぞれ構成する正面枠組体６および側面枠組体７を互いに一体に組み立て、かつ正面枠組体７の裏面から建物本体１側へ延びる庇内部鉄骨を有する。【選択図】        図１
2012007352.tif 000002
【特許請求の範囲】
【請求項１】
鉄骨造の建物本体の外壁面から箱形に突出するパラペット型庇の骨組み構造であって、  前記パラペット型庇の長さ方向の両端部が、このパラペット型庇の正面および各片方の側面の骨組みをそれぞれ構成する正面枠組体および側面枠組体を互いに一体に組み立てた一対の庇ユニットからなり、両側の庇ユニットの間に、前記パラペット型庇の正面の骨組みを構成する庇パネルを設け、前記庇ユニットは、前記正面枠組体の裏面から建物本体側へ延びる庇内部鉄骨を有し、前記各庇ユニットは、前記建物本体の鉄骨に、前記側面枠組体および前記庇内部鉄骨の先端で取付金具組により接合され、前記庇パネルは、前記建物本体の鉄骨に庇内部鉄骨を介して接合されることを特徴とするパネル・ユニット併用パラペット型庇の骨組み構造。
【請求項２】
請求項１において、前記庇ユニットの前記庇内部鉄骨の先端の前記取付金具組は、前記庇ユニットに設けられた庇側取付金具と、前記建物本体の鉄骨に設けられた本体側取付金具とを、庇突出方向に延びる平面で互いに重ね、前記庇側取付金具と本体側取付金具とにそれぞれ設けられたボルト挿通穴に挿通したボルトとこのボルトに螺合するナットとにより締め付けて接合するものであって、前記庇側取付金具のボルト挿通穴と本体側取付金具のボルト挿通穴とのいずれか一方または両方を、庇突出方向に延びる長穴としたパネル・ユニット併用パラペット型庇の骨組み構造。
【請求項３】
請求項２において、前記庇ユニットにおける前記庇側取付金具の近傍、またはこの庇側取付金具に、先端が建物本体の鉄骨に当接する出入り調整ボルトを、雌ねじ部材を介して取付けたパネル・ユニット併用パラペット型庇の骨組み構造。
【発明の詳細な説明】
【技術分野】
【０００１】
この発明は、店舗建物等となる鉄骨造の建物本体の外壁面から箱形に突出するパラペット型庇における骨組み構造であるパネル・ユニット併用パラペット型庇の骨組み構造に関する。
【背景技術】
【０００２】
コンビニエンスストア等の店舗建物では、図１４に伏せ図および側面図を示すように、建物本体８１から箱形に突出するパラペット型庇８２を設けることが多い。従来、このパラペット型庇８２は、建物本体８１と同様に、正面部および側面部の庇パネル８３，８４と下地鉄骨８９（図１６）とで構成されている。その施工は、建物本体８１の外壁パネルおよび小屋鉄骨８５を施工した後、庇の下地鉄骨８９を施工し、そこへ庇パネル８３，８４を設置する。母屋８６や水平ブレース８７は単独部材であり、個別に取付ける。
現場の状況にもよるが、地組する作業スペースがあれば、下地鉄骨８９を現場で組立て、それをレッカー車で揚重し、建物本体８１の小屋鉄骨８５に設置することもある。
【先行技術文献】
【特許文献】
【０００３】
【特許文献１】特開２００７−１９１９６６号公報
【特許文献２】特開平９−２１７４５５号公報
【特許文献３】特開平１０−２５２１３９号公報
【発明の概要】
【発明が解決しようとする課題】
【０００４】
施工性につき説明すると、建物本体８１の外壁パネル（図示せず）は、ベースプレート付きの柱を両端に有する両柱パネルを基礎の上に建て、間に無柱パネルを入れ込む形式等とすることで、レベルを決めたり、外壁パネルを入れ込むことが容易に行える。これに対して、庇パネル８３，８４は、空中に浮かせた状態で全ての庇パネル８３，８４を設置するため、施工性が悪い。特に、パラペット型庇８２のコーナ部８２ａは、下地鉄骨が混み合い、また庇パネル８３，８４同士の取り合い部にも下地鉄骨８９と取り合うための部材があるため、作業性が悪い。
安全性については、下地鉄骨８９に庇パネル８３，８４を取り合う際に、安全性に欠ける作業が発生する。現場によっては、外部足場を設けて対応することもあるが、外部足場を設けるとコストとなる。
【０００５】
なお、パラペット型庇８２の全体をユニット化することも試みられており、ユニット化によって現場作業性の向上や、重複部材の削減等が図れる。しかし、パラペット型庇８２の長さは、建物毎に種々の全長が要求される。そのため、パラペット型庇８２の全体をユニット化すると、建物毎に種々異なる全長の庇ユニットを製造することが必要となり、庇ユニットの工場生産性が悪い。
【０００６】
この発明の目的は、現場施工性に優れ、重複部材の削減が図れ、現場での作業の安全性が高く、かつ建物毎に要求される種々の庇長さへの対応も容易なパネル・ユニット併用パラペット型庇の骨組み構造を提供することである。
【課題を解決するための手段】
【０００７】
この発明のパネル・ユニット併用パラペット型庇の骨組み構造は、鉄骨造の建物本体の外壁面から箱形に突出するパラペット型庇の骨組み構造であって、前記パラペット型庇の長さ方向の両端部が、このパラペット型庇の正面および各片方の側面の骨組みをそれぞれ構成する正面枠組体および側面枠組体を互いに一体に組み立てた一対の庇ユニットを設け、両側の庇ユニットの間に、前記パラペット型庇の正面の骨組みを構成する庇パネルからなり、前記庇ユニットは、前記正面枠組体の裏面から建物本体側へ延びる庇内部鉄骨を有し、前記各庇ユニットは、前記建物本体の鉄骨に、前記側面枠組体および前記庇内部鉄骨の先端で取付金具組により接合され、前記庇パネルは、前記建物本体の鉄骨に庇内部鉄骨を介して接合されることを特徴とする。
【０００８】
この構成によると、パラペット型庇の両端部が庇ユニットとしてユニット化されているため、現場施工性の悪いパラペット型庇の正面部分と側面部分間のコーナ部やその他の部分を工場から組み立てて来ることができる。そのため、現場作業が少なくなって、施工性が向上する。現場作業の低減は、高所作業の低減となり、安全性も向上する。ユニット化することにより、特にコーナ部をユニット化することにより、コーナ部の束となる鉄骨やその他の部材の重複をなくし、重複部材の削減によるコスト低下が得られる。庇ユニットによるユニット化により、水平面剛性も高まる。
また、パラペット型庇の中間部分を庇パネルとしたため、桁行方向の庇全長が種々異なる建物に対しても、庇パネルの長さを調整することで対応でき、汎用性がある。庇パネルは、平面状の部材であるため、庇ユニットと異なり、種々異なる長さのものが容易に工場生産できる。両側の庇ユニット間の部分が庇パネルであると、パラペット型庇の全体をユニット化した場合に比べて、力の伝達もスムーズになり、水平面での剛性についても有利となる。両端のみをユニット化することで、パラペット型庇の全体をユニット化する場合に比べて運搬時の容積が低減でき、運搬コストを上げずに済むという利点も得られる。
このように、両端を庇ユニットとし、中間を庇パネルとしたため、現場施工性の特に悪いコーナ部を予め工場生産できて現場施工性が工場するうえ、庇長さの種々異なる建物につき、同じ構成の庇ユニットを用いることができて、庇長さの違いへの対応が容易となる。
【０００９】
この発明において、前記庇ユニットの前記庇内部鉄骨の先端の前記取付金具組は、前記庇ユニットに設けられた庇側取付金具と、前記建物本体の鉄骨に設けられた本体側取付金具とを、庇突出方向に延びる平面で互いに重ね、前記庇側取付金具と本体側取付金具とにそれぞれ設けられたボルト挿通穴に挿通したボルトとこのボルトに螺合するナットとにより締め付けて接合するものであって、前記庇側取付金具のボルト挿通穴と本体側取付金具のボルト挿通穴とのいずれか一方または両方を、庇突出方向に延びる長穴としても良い。このように長穴を用いて接合することで、庇ユニットの建ちを調整することができる。
【００１０】
この場合に、前記庇ユニットにおける前記庇側取付金具の近傍、またはこの庇側取付金具に、先端が建物本体の鉄骨に当接する出入り調整ボルトを、雌ねじ部材を介して取付けても良い。その場合、ボルトで建物本体の鉄骨を押すことで、庇ユニットの建ちを調整できて、建ち調整が容易に行える。
【発明の効果】
【００１１】
この発明のパネル・ユニット併用パラペット型庇の骨組み構造は、鉄骨造の建物本体の外壁面から箱形に突出するパラペット型庇の骨組み構造であって、前記パラペット型庇の長さ方向の両端部が、このパラペット型庇の正面および各片方の側面の骨組みをそれぞれ構成する正面枠組体および側面枠組体を互いに一体に組み立てた一対の庇ユニットからなり、両側の庇ユニットの間に、前記パラペット型庇の正面の骨組みを構成する庇パネルを設け、前記庇ユニットは、前記正面枠組体の裏面から建物本体側へ延びる庇内部鉄骨を有し、前記各庇ユニットは、前記建物本体の鉄骨に、前記側面枠組体および前記庇内部鉄骨の先端で取付金具組により接合され、前記庇パネルは、前記建物本体の鉄骨に庇内部鉄骨を介して接合されるため、現場施工性に優れ、重複部材の削減が図れ、現場での作業の安全性が高く、かつ建物毎に要求される種々の庇長さへの対応も容易となる。
【図面の簡単な説明】
【００１２】
【図１】この発明の一実施形態に係るパネル・ユニット併用パラペット型庇の骨組み構造を備える建物の平面図および側面図である。
【図２】同パラペット型庇の骨組み構造に用いられる庇ユニットおよび庇パネルの概略斜視図である。
【図３】同パラペット型庇の骨組み構造の平面図および正面図である。
【図４】同庇ユニットの平面図および正面図である。
【図５】（Ａ）は図３のＶＡ通り部の側面図、（Ｂ）はＶＢ通り部の破断側面図である。
【図６】（Ａ）は図３のＶＩＡ通り部の破断側面図、（Ｂ）はＶＩＡ通り部の側面図である。
【図７】図３のＶＩＩ部の拡大断面図である。
【図８】図５（Ｂ）のVIII部の拡大図である。
【図９】図５（Ａ）のＩＸ部部分拡大図である。
【図１０】図６（Ａ）のＸ部の拡大図である。
【図１１】同庇ユニットの斜視図である。
【図１２】同庇ユニットを建物本体に取付けた状態を示す斜視図である。
【図１３】同庇ユニットと庇パネルと運搬治具との関係を示す破断正面図および破断側面図である。
【図１４】従来例の平面図および側面図である。
【図１５】同従来例の部分拡大斜視図である。
【発明を実施するための形態】
【００１３】
この発明の一実施形態を図１ないし図１３と共に説明する。このパネル・ユニット併用パラペット型庇の骨組み構造は、鉄骨造で陸屋根の建物本体１の外壁面１ａから箱形に突出するパラペット型庇２の骨組み構造であって、パラペット型庇２の長さ方向の両端部がそれぞれ庇ユニット３，４からなり、両側の庇ユニット３，４の間に庇パネル５が設けられている。庇パネル５は１枚であっても、複数枚を並べて設けても良い。建物本体１は、コンビニエンスストア等の店舗建物となる平屋の建物である。建物本体１は、鉄骨造建物であれば良いが、例えば外壁パネル工法建物または軸組工法建物とされる。この実施形態では、後に説明する外壁パネル工法建物とされている。
【００１４】
庇ユニット３，４は、パラペット型庇２の正面および各片方の側面の骨組みをそれぞれ構成する正面枠組体６および側面枠組体７を互いに一体に組み立てたものであり、かつ正面枠組体６の裏面から建物本体側へ延びる庇内部鉄骨２０，２１を有している。側面枠組体７および庇内部鉄骨２０，２１は、後に説明するように、それぞれ庇トラスを構成する。庇ユニット３，４は、正面枠組体６および側面枠組体７の屋外側面に面材６５（図２）を張ったものであっても、面材６５を現場施工で張るようにした面材未取付品であっても良い。
庇パネル５は、パラペット型庇２の正面の骨組みを構成する枠組体である。庇パネル５も、面材６６を張ったものであっても、面材６６を現場施工で張るようにした面材未取付品であっても良い。
【００１５】
庇ユニット３，４につき、具体的に説明する。両側の庇ユニット３，４は、側面枠組体７が左右のいずれに配置されるか、また桁行方向の長さが必ずしも同じではない他は、互いに同じ構成であるため、図の左の庇ユニット３につき説明し、右側の庇ユニット４については具体的構成の説明を省略する。図３（Ａ），（Ｂ）は、パラペット型庇２の全体の平面図および正面図であり、図２（Ａ）（Ｂ）は、その庇ユニット３および庇パネル５の概略の斜視図である。図１１は、庇ユニット３の具体例の斜視図である。
【００１６】
図２（Ａ）に示すように、庇ユニット３の正面枠組体６は、桁行方向に並ぶ複数本の束材９，１０と、これら複数本の束材９，１０間に渡って上下端にそれぞれ設けられた上桟１１および下桟１２と、隣合う各束材９，１０間に設けられた庇母屋１３および中桟１４を有する。庇母屋１３は、屋根パネル（図示せず）を受ける中桟である。屋根パネルは、パネルフレームに屋根葺材を張ったパネルである。庇母屋１３の近傍に沿って、上記屋根パネルを構成する下端の屋根パネル母屋２６（図５（Ｂ））が配置される。図２（Ａ）において、下側の中桟１４は、看板取付下地等となる部材である。上桟１１の下面には水切り下地１５が設けられる。これら束材９，１０、上桟１１、下桟１２、庇母屋１３、中桟１４、および水切り下地１５は、いずれも角パイプまたはＣ形鋼等の鋼材からなり、互いに溶接等で接合されて枠組される。
【００１７】
側面枠組体７は、一対の束材９，１６と、これらの束材９，１６間に設けられた上桟１１Ａ、下桟１２Ａ、上弦材１７、下弦材１８、および上下の弦材１７，１８間に設けられた斜材１９（図５（Ａ）参照）を有し、庇トラスを構成する。片方の束材９は、正面枠組体６の束材を兼用する部材である。前記各部材（９，１６，１７，１８，１９）は、角パイプまたはＣ形鋼等の鋼材からなり、互いに溶接等で接合されて枠組される。
【００１８】
図２（Ａ）において、正面枠組体６におけるコーナ部の束材９を除く各束材１０の裏面には、建物本体側１へ延びる上下複数本（図示例では２本）の庇内部鉄骨２０，２１が突出している。これら上下の庇内部鉄骨２０，２１の間には、図５（Ｂ）のように斜材２２が接合され、束材１０、上下の庇内部鉄骨２０，２１、および斜材２２により庇トラスを構成する。上下の庇内部鉄骨２０，２１は、庇トラスの上下の弦材となる。各庇トラス間にわたり、上弦材となる庇内部鉄骨２０および上弦材１７は、つなぎ材２３により相互に接続される。なお、庇内部鉄骨２０，２１は、必ずしもトラスを構成するものでなくても良く、例えば図１１に示す一部（図の左から２つ目）の庇内部鉄骨２０のように、正面枠組体６の裏側から独立して突出するものであっても良い。図１１は、この庇トラスの部分につき、他の図とは異ならせて図示してある。また、図１１は、他の部分においても、他の各図とは構成を若干異ならせて図示してある。
【００１９】
側面枠組体７の上弦材１７と正面枠組体６の庇母屋１３との間には、図３（Ａ）のように、火打ち材となる水平な斜材２４が設けられる。他端の庇トラスを構成する上側の庇内部鉄骨２０と正面枠組体６の庇母屋１３との間にも、火内材となる水平な斜材２５が設けられる。上記各部材２０〜２５も、角パイプまたはＣ形鋼等の鋼材からなり、互いに溶接等で接合される。
【００２０】
庇ユニット３と建物本体１との接合構造につき説明する。図３（Ａ）に平面図で示すように、建物本体１は外壁パネル工法の建物であり、外壁１Ａは、複数本の鉄骨の柱２７を有している。これらの柱２７は、両端柱付き外壁パネル２８の両端のパネルフレームを兼用するものと、独立柱とがあり、外壁１Ａは、上記両端柱付き外壁パネル２８と、隣合う両端柱付き外壁パネル２８の間、または両端柱付き外壁パネル２８と独立した柱２７の間に配置される無柱外壁パネル２８Ａとで構成される。庇ユニット３は、前記建物本体１の鉄骨の柱２７に接合される。
【００２１】
図５（Ａ）に示すように、庇ユニット３の側面枠組体７は、取付金具組３１によって建物本体１の柱２７に接合される。図５（Ａ）の一部を図９に拡大して示すように、取付金具組３１は、建物本体１の柱２７の側面に取付けられて側面枠組体７の束材１６の側面に被さる鋼板等からなる接合板３２と、ボルト３３とでなる。ボルト３３は、接合板３２に設けられた上下方向に延びる長穴等からなるボルト挿通穴３４に挿通され、側面枠組体７束材１６に設けられた雌ねじ穴（図示せず）にねじ込んで締め付け固定される。束材１６の上記雌ねじ穴は、束材１６の内面に溶接固定されたナット（図示せず）により構成される。なお、束材１６に雌ねじ穴を設ける代わりに、ナットを用いても良い。
上記のようにボルト挿通穴３４を上下方向に延びる長穴とすることで、建物本体１の柱２７に対する庇ユニット３の上下方向の取付位置を調整可能としてある。また、同図のように、庇ユニット３の側面枠組体７の束材１６を直接に建物本体１の柱２７に接して接合するため、鉄骨下地が削減できる。同図の取合いは、建物本体１の外壁パネルの取り合いと同じとあるため、施工方法が明快になる。
【００２２】
庇ユニット３の側面枠組体７を除く各部では、図５（Ｂ）に示すように、庇トラスの上下の弦材となる庇内部鉄骨２０，２１の先端が、建物本体１の柱２７に対して取付金具組３５により接合される。取付金具組３５は、図７に示すように、庇ユニット３の庇内部鉄骨２０，２１の先端に設けられた庇側取付金具３６と、建物本体１の鉄骨からなる柱２７に設けられた本体側取付金具３７とを、庇突出方向に延びる垂直な平面で互いに重ね、両取付金具３６，３７に設けられたボルト挿通穴に渡って挿通されたボルト３８と、このボルト３８に螺合するナット３９とにより締め付けて接合するものである。前記取付金具３６，３７はガセットプレート等からなる。庇側取付金具３６と本体側取付金具３７のいずれかに設けられたボルト挿通穴、図示の例では、図８のように庇側取付金具３６のボルト挿通穴４０を、庇突出方向に延びる長穴としてある。
【００２３】
図８は、庇ユニット３における下側の庇内部鉄骨２１の先端に設けられた庇側取付金具３６を示しており、この庇側取付金具３６の近傍となる真上位置に出入り調整ボルト４１が、長ナットからなる雌ねじ部材４２を介して設けられている。雌ねじ部材４２は、庇内部鉄骨２１の先端の上面に溶接等で固定された取付台４３に溶接等で固定されている。出入り調整ボルト４１は、先端が建物本体１の鉄骨の柱２７に当接する。柱２７の出入り調整ボルト４１の調整する部位には、鉄板などからなる補強板４４が溶接等で固定されている。同図に示すように、庇ユニット３における下側の庇内部鉄骨２１は、軒天下地６５か取付けられている。
【００２４】
なお、図３に示すように、庇ユニット３の庇内部鉄骨２０，２１は、必ずしも柱２７に接合しなくても良く、建物本体１の横架材となる鉄骨、例えば外壁パネル２８，２８Ａの横枠材５２に接合しても良い。図３の例では、一部の庇内部鉄骨２０，２１が外壁パネル２８Ａの横枠材５２に接合されている。
【００２５】
また、上記構成の庇ユニット３には、上記各部材の他に、建方用補助部材や運搬治具取付具５９（図１１）等が設けられていても良い。
【００２６】
図２（Ｂ）において、庇パネル５は、上桟４５と下桟４６とを両端の縦桟４７と中間の１本または複数の縦桟４８とで枠組し、さらに上下の中桟４９，５０を設けたものである。上記各部材（４５〜５０）は、角パイプまたはＣ形鋼等からなり、溶接等で相互に接合されている。
【００２７】
図３に示すように、庇パネル５は、建物本体１の鉄骨となる柱２７に、庇突出方向に延びる庇内部鉄骨５３を介して接合される。庇内部鉄骨５３は、図６（Ａ）に示すように上下２本設けられて、束材５４および斜材５５と共に庇トラス５６を構成し、両端がそれぞれ庇パネル５および建物本体１の鉄骨の柱２７に、取付金具組５７，５８を介して取付けられる。図１０に示すように、庇パネル５側に接合する取付金具組５７は、詳細な説明は省略するが、図８と共に前述した庇ユニット３の取付金具組３５と同様な構成であって、長穴により出入り調整が可能とされている。また、取付金具組５７の近傍に位置して庇トラス５６に、図８と共に前述した出入り調整ボルト４１と同様な出入り調整ボルト６０が雌ねじ部材６１を介して取付けられている。出入り調整ボルト６０は、先端が庇パネル５の縦桟４７，４８に当接する。
【００２８】
図３（Ａ）に示すように、パラペット型庇２の庇パネル５が設けられた長さ範囲の部分では、隣合う庇トラス間に水平ブレース６２が張られている。
【００２９】
上記構成の庇ユニット３および庇パネル５は、工場で生産され、例えば図１４に示すように、同じ運搬用治具６４内に納めて、運搬用治具６４ごとトラック等で建築現場に運搬される。運搬用治具６４の寸法は、道路交通法規上で通常のトラックに積載可能な寸法とされ、例えば全長Ｌが６，５００mm、幅Ｗが２，４００mmとされる。庇ユニット３および庇パネル５は、このような運搬用治具６４内に納めることができる寸法に製造される。
【００３０】
建築現場に運搬された庇ユニット３は、上記のように建物本体１の柱２７等の躯体となる鉄骨に、側面枠組体７の束材１６、および庇内部鉄骨２０，２１の先端が、それぞれ取付金具組３１（図９），取付金具組３５（図８）によってボルト接合される。庇パネル５は、建物本体１の柱２７等の躯体となる鉄骨に、庇突出方向に延びる庇内部鉄骨５３を介して、取付金具組５７，５８（図６）により接合される。図１２は、図１１の庇ユニット３を建物本体１に取付けた状態を示す。
【００３１】
庇ユニット３の  側面枠組体７を取付ける取付金具組３１（図９）は、ボルト挿通穴３４が上下方向に延びる長穴であるため、柱２７に対して上下方向の取付位置の調整が可能である。また、庇内部鉄骨２０，２１の先端の取付金具組３５（図８）は、ボルト挿通穴４０が庇突出方向に延びる長穴であるため、出入り方向に誤差があっても吸収できる。また、この取付金具組３５の近傍に設けられた出入り調整ボルト４１によって、建物本体１の柱２７に対する建ち調整が行える。
【００３２】
この構成のパネル・ユニット併用パラペット型庇の骨組み構造によると、パラペット型庇２の両端部が庇ユニット３としてユニット化されているため、現場施工性の悪いパラペット型庇の正面部分と側面部分間のコーナ部２ａやその他の部分を工場から組み立てて来ることができ、現場でのコーナ部２ａのパネル間の取合い作業がなくなる。そのため、現場作業が少なくなって、施工性が向上する。現場作業の低減は、高所作業の低減となり、安全性も向上する。庇ユニット３は、建物本体１の鉄骨から取り合うため、内部棚足場（図示せず）からの施工が可能であり、より一層安全性が向上する。庇ユニット３には安全ネット（図示せず）を取付けておけるため、庇ユニット３間の庇パネル５を施工する際にも、庇ユニット３側から作業することで、危険作業を回避できる。
【００３３】
庇ユニット３としてユニット化することにより、特にパラペット型庇２のコーナ部２ａをユニット化することにより、コーナ部２ａの束となる鉄骨や、取合い部材、その他の部材の重複をなくし、重複部材の削減によるコスト低下が得られる。庇ユニットによるユニット化により、水平面剛性も高まる。庇ユニット３には、母屋や軒天下地６５を取付けておくことができるため、現場で取付ける作業がなくなり、現場作業のより一層の省力化ができる。庇ユニット３としてユニット化することにより、庇内部鉄骨２０，２１等の庇下地鉄骨とパネルを一体化することができて、片持ち梁となる庇内部鉄骨２０，２１と、建物本体１の柱２７との偏心距離を小さくすることもできる。
【００３４】
また、パラペット型庇２の中間部分を庇パネル５としたため、桁行方向の庇全長が種々異なる建物に対しても、庇パネル５の長さを調整することで対応でき、汎用性がある。庇パネル５は、平面状の部材であるため、庇ユニット３と異なり、種々異なる長さのものが容易に工場生産できる。両側の庇ユニット３，４間の部分が庇パネル５であると、パラペット型庇２の全体をユニット化した場合に比べて、力の伝達もスムーズになり、水平面での剛性についても有利となる。パラペット型庇２の両端はユニット化することで、庇パネル５と併用していても、出隅の直角精度を高めることができる。庇ユニット３は、工場で溶接組立できるため、出隅の直角精度が出し易く、またパラペット型庇２のレベル精度の向上にも繋がる。
両端のみをユニット化することで、パラペット型庇２の全体をユニット化する場合に比べて運搬時の容積が低減でき、運搬コストを上げずに済むという利点も得られる。具体例を上げると、図１４と共に前述したように、同じ運搬治具６４内に庇ユニット３と庇パネル５を納めて運搬することができ、優れた運搬効率が得られる。
【００３５】
このように、両端を庇ユニット３，４とし、中間を庇パネル５としたため、現場施工性の特に悪いコーナ部２ａを予め工場生産できて現場施工性が大きく向上するうえ、庇長さの種々異なる建物につき、同じ庇ユニット３を用いることができて、庇長さの違いへの対応が容易となる。
【００３６】
また、図７のように、庇ユニット３の庇内部鉄骨２０，２１の先端の取付金具組３５を、図８のように長穴からなるボルト挿通穴４０を用いてボルト接合する場合は、庇ユニット３の建ちを調整することができる。
この場合に、庇ユニット３に出入り調整ボルト４１を設けた場合は、この出入り調整ボルト４１で建物本体１の鉄骨の柱２７を押すことで、庇ユニット３の建ちを調整できて、建ち調整が容易に行える。
【符号の説明】
【００３７】
１…建物本体
１ａ…外壁面
２…パラペット型庇
３，４…庇ユニット
５…庇パネル
６…正面枠組体
７…側面枠組体
８…庇内部鉄骨
２７…建物本体の柱
３１…取付金具組
３５…取付金具組
３６…庇側取付金具
３７…本体側取付金具
３８…ボルト
４１…出入り調整ボルト
５３…庇内部鉄骨
【図１】
2012007352.tif 000003
【図２】
2012007352.tif 000004
【図３】
2012007352.tif 000005
【図４】
2012007352.tif 000006
【図５】
2012007352.tif 000007
【図６】
2012007352.tif 000008
【図７】
2012007352.tif 000009
【図８】
2012007352.tif 000010
【図９】
2012007352.tif 000011
【図１０】
2012007352.tif 000012
【図１１】
2012007352.tif 000013
【図１２】
2012007352.tif 000014
【図１３】
2012007352.tif 000015
【図１４】
2012007352.tif 000016
【図１５】
2012007352.tif 000017